(57)【要約】      （修正有）【課題】高度な自律性と良好な動作精度を確実にするような機械式計時器用ムーブメントのためのＱが高いタイムベースを提供する。【解決手段】少なくとも２つの振動する可動部を有する音叉によって形成される共振器１００を備えた計時器用の発振器であって、可動部は、接続要素２に可撓性要素３１、４１；３２、４２によって固定されており、これらの可撓性要素３１、４１；３２、４２の幾何学的構成によって、接続要素２に対して所定の位置を有する仮想回転軸が決まり、可動部はそれぞれ、仮想回転軸を中心に振動し、可動部の重心は、安静位置において、対応する仮想回転軸上にあり、可動部の少なくとも１つにおいて、可撓性要素３１、４１；３２、４２は、２つの平行な平面内に互いから離れて交差する弾性細長材によって形成され、これらの弾性細長材の方向どうしは、平行な平面の１つ上への射影において、可動部の仮想回転軸上で交差する。【選択図】図２
2016118548.tif 000002
【特許請求の範囲】
【請求項１】
少なくとも２つの振動する可動部（１１；１２）を有する音叉によって形成される少なくとも１つの共振器（１００）を備えたタイムベースを有する計時器用の発振器（２００）であって、
前記可動部（１１；１２）は、当該発振器（２００）が備える接続要素（２）に可撓性要素（３１、４１；３２、４２）によって固定されており、これらの可撓性要素（３１、４１；３２、４２）の幾何学的構成によって、前記接続要素（２）に対して所定の位置を有する仮想回転軸（Ｏ１；Ｏ２）が決まり、
前記可動部（１１；１２）はそれぞれ、前記仮想回転軸（Ｏ１；Ｏ２）を中心に振動し、
前記可動部の重心は、安静位置において、対応する仮想回転軸（Ｏ１；Ｏ２）上にあり、
前記可動部（１１；１２）の少なくとも１つにおいて、前記可撓性要素（３１、４１；３２、４２）は、２つの平行な平面内に互いから離れて交差する弾性細長材によって形成され、
これらの弾性細長材の方向どうしは、前記平行な平面の１つ上への射影において、対応する可動部（１１；１２）の前記仮想回転軸（Ｏ１；Ｏ２）上で交差する
ことを特徴とする発振器（２００）。
【請求項２】
前記少なくとも１つの共振器（１００）は、前記可動部（１１；１２）を２つ有し、これらの重心は、前記接続要素（２）のメイン中心（Ｏ）と整列されている仮想回転軸（Ｏ１；Ｏ２）上にある
ことを特徴とする請求項１に記載の発振器（２００）。
【請求項３】
前記２つの可動部（１１；１２）は、前記接続要素（２）のメイン中心（Ｏ）を通り抜ける対称軸に対して対称である
ことを特徴とする請求項２に記載の発振器（２００）。
【請求項４】
前記接続要素（２）は、弾性力によって前記２つの可動部（１１；１２）の運動を連結している
ことを特徴とする請求項２に記載の発振器（２００）。
【請求項５】
前記接続要素（２）は、前記メイン中心（Ｏ）に対する対称な運動を確実にするように、前記２つの可動部（１１；１２）を連結している
ことを特徴とする請求項２に記載の発振器（２００）。
【請求項６】
前記接続要素（２）は、計時器用ムーブメント（３００）の構造体に固定されるように構成する支持体（５）から少なくとも１つの弾性接続（６０）によって懸架される
ことを特徴とする請求項１に記載の発振器（２００）。
【請求項７】
前記弾性接続（６０）は、弾性細長材（６１、６２）によって達成され、これらの弾性細長材（６１、６２）の方向どうしは、前記接続要素（２）の前記メイン中心（Ｏ）の方で集束する
ことを特徴とする請求項５に記載の発振器（２００）。
【請求項８】
前記可動部（１１；１２）の少なくとも１つは、前記対応する仮想回転軸（Ｏ１；Ｏ２）のまわりで実質的に環状の弧（１１０、１２０）を有し、
この弧（１１０、１２０）は、その各端において慣性ブロック（１１１、１１２、１２１、１２２）を有し、
前記可撓性要素（３１、４１；３２、４２）は、前記弧（１１０、１２０）と連係する
ことを特徴とする請求項１に記載の発振器（２００）。
【請求項９】
前記可撓性要素（３１、４１；３２、４２）を形成する前記弾性細長材は、前記弧（１１０、１２０）及び慣性ブロック（１１１、１１２、１２１、１２２）よりも剛性が小さい
ことを特徴とする請求項７に記載の発振器（２００）。
【請求項１０】
前記可撓性要素（３１、４１；３２、４２）を形成する前記弾性細長材どうしは、前記仮想回転軸（Ｏ１；Ｏ２）を通り抜ける前記接続要素（２）上のメイン中心（Ｏ）を通る軸に対して、射影面において、対称な対を形成する
ことを特徴とする請求項１に記載の発振器（２００）。
【請求項１１】
前記共振器（１００）の少なくとも１つは、前記接続要素（２）と、振動する前記可動部（１１；１２）の少なくとも１つと、及び前記可動部を前記接続要素（２）に接続する弾性細長材（３１、４１；３２、４２）とを有する一体的なアセンブリーである
ことを特徴とする請求項１に記載の発振器（２００）。
【請求項１２】
前記共振器（１００）の少なくとも１つは、前記接続要素（２）を有する一体的なアセンブリーであり、
複数の振動する前記可動部（１１；１２）のそれぞれは、前記可動部を前記接続要素（２）に接続する前記弾性細長材（３１、４１；３２、４２）を有する
ことを特徴とする請求項１０に記載の発振器（２００）。
【請求項１３】
当該発振器（２００）は、前記接続要素（２）と、及び複数の前記共振器（１００）を有する一体的なアセンブリーである
ことを特徴とする請求項１に記載の発振器（２００）。
【請求項１４】
当該発振器（２００）は、計時器用ムーブメント（３００）の構造体に固定されるように構成する支持体（５）と、及び前記支持体（５）を前記接続要素（２）に接続する弾性接続（６０）とをさらに有する一体的なアセンブリーであり、
前記可撓性要素（３１、４１；３２、４２）を形成する前記弾性細長材は、熱補償を行う酸化層を有する
ことを特徴とする請求項１０又は１１に記載の発振器（２００）。
【請求項１５】
前記一体的なアセンブリーは、ケイ素及び／又は酸化ケイ素、ダイヤモンド状炭素、又は石英で作られている
ことを特徴とする請求項１０、１１、１３のいずれかに記載の発振器（２００）。
【請求項１６】
当該発振器（２００）は、前記可動部（１１；１２）それぞれの運動を制限する止め面（８０、９１、９２）を有する
ことを特徴とする請求項１に記載の発振器（２００）。
【請求項１７】
請求項１に記載の発振器（２００）が、その接続要素（２）によって直接、又は前記接続要素（２）が弾性接続（６０）によって接続されている支持体（５）によって、固定されている構造体を有する
ことを特徴とする計時器用ムーブメント（３００）。
【請求項１８】
請求項１７に記載の計時器用ムーブメント（３００）を少なくとも１つ有する
ことを特徴とする計時器（４００）又は腕時計。
【発明の詳細な説明】
【技術分野】
【０００１】
本発明は、少なくとも２つの振動する可動部を有する音叉によって形成される少なくとも１つの共振器を備えたタイムベースを有する計時器用の発振器に関し、前記可動部は、当該発振器が備える接続要素に可撓性要素によって固定されており、これらの可撓性要素の幾何学的構成によって、前記接続要素に対して所定の位置を有する仮想回転軸が決まり、前記可動部はそれぞれ、前記仮想回転軸を中心に振動し、前記可動部の重心は、安静位置において、対応する仮想回転軸上にある。
【０００２】
また、本発明は、当該発振器が１つ固定される構造体を有する計時器用ムーブメントに関する。
【０００３】
また、本発明は、当該ムーブメントを少なくとも１つ有する計時器又は腕時計に関する。
【背景技術】
【０００４】
計時器のタイムベースは、常に、動作精度が良いこと、効率が許容できる範囲であること、十分にコンパクトであること、腕時計として用いる場合の耐久性があることと、経済的に製造できることとを妥協して作られている。
【０００５】
ばね仕掛けバランス共振器は、外部の現象に敏感であり、その製造や開発には、能力が高い人員を必要とし、製造再現性を実現するのは難しい。
【発明の概要】
【発明が解決しようとする課題】
【０００６】
本発明は、衝撃、温度、磁性などに対するふるまいについて品質上の規格を満たしつつ、高度な自律性と良好な動作精度を確実にするような、機械式計時器用ムーブメントのためのＱ（quality factor）が高いタイムベースを作ることを提案するものである。
【０００７】
また、本発明は、ばね仕掛けバランスに対する単純で経済的な代替選択肢を提供することを提案するものである。
【課題を解決するための手段】
【０００８】
このために、本発明は、少なくとも２つの振動する可動部を有する音叉によって形成される少なくとも１つの共振器を備えたタイムベースを有する計時器用の発振器に関し、前記可動部は、当該発振器が備える接続要素に可撓性要素によって固定されており、これらの可撓性要素の幾何学的構成によって、前記接続要素に対して所定の位置を有する仮想回転軸が決まり、前記可動部はそれぞれ、前記仮想回転軸を中心に振動し、前記可動部の重心は、安静位置において、対応する仮想回転軸上にあり、前記可動部の少なくとも１つにおいて、前記可撓性要素は、２つの平行な平面内に互いから離れて交差する弾性細長材によって形成され、これらの弾性細長材の方向どうしは、前記平行な平面の１つ上への射影において、対応する可動部の前記仮想回転軸上で交差する。
【０００９】
本発明の特徴の１つによると、前記共振器は、前記可動部を２つ有し、これらの重心は、前記接続要素のメイン中心と整列されている仮想回転軸上にある。
【００１０】
本発明の特徴の１つによると、前記２つの可動部は、前記接続要素のメイン中心を通り抜ける対称軸に対して対称である。
【００１１】
本発明の特徴の１つによると、前記接続要素は、弾性力によって前記２つの可動部の運動を連結している。
【００１２】
本発明の特徴の１つによると、前記接続要素は、計時器用ムーブメントの構造体に固定されるように構成する支持体から少なくとも１つの弾性接続によって懸架される。
【００１３】
本発明の特徴の１つによると、前記弾性接続は、弾性細長材によって達成され、これらの弾性細長材の方向どうしは、前記接続要素の前記メイン中心の方で集束する。
【００１４】
本発明の特徴の１つによると、前記可動部の少なくとも１つは、前記仮想回転軸のまわりで実質的に環状の弧を有し、この弧は、その各端において慣性ブロックを有し、前記可撓性要素は、前記弧と連係する。
【００１５】
本発明の特徴の１つによると、前記共振器の少なくとも１つは、前記接続要素と、振動する前記可動部の少なくとも１つと、及び前記可動部を前記接続要素に接続する弾性細長材とを有する一体的なアセンブリーである。
【００１６】
本発明の特徴の１つによると、前記共振器の少なくとも１つは、前記接続要素を有する一体的なアセンブリーであり、複数の振動する前記可動部のそれぞれは、前記可動部を前記接続要素に接続する前記弾性細長材を有する。
【００１７】
本発明の特徴の１つによると、当該発振器は、前記接続要素と、及び複数の前記共振器を有する一体的なアセンブリーである。
【００１８】
本発明の特徴の１つによると、当該発振器は、計時器用ムーブメントの構造体と一体的に構成する支持体と、及び前記支持体を前記接続要素に接続する弾性接続とをさらに有する一体的なアセンブリーである。
【００１９】
本発明の特徴の１つによると、前記一体的なアセンブリーは、ケイ素及び／又は酸化ケイ素、ダイヤモンド状炭素（ＤＬＣ）、又は石英で作られている。
【００２０】
本発明の特徴の１つによると、前記可撓性要素を形成する前記弾性細長材は、熱補償を行う酸化層を有する。
【００２１】
本発明の特徴の１つによると、当該発振器は、前記可動部それぞれの運動を制限する止め面を有する。
【００２２】
また、本発明は、当該発振器が、その接続要素によって直接、又は前記接続要素が弾性接続によって接続されている支持体によって、固定されている構造体を有する計時器に関する。
【００２３】
また、本発明は、少なくとも１つのムーブメントを有する計時器又は腕時計に関する。
【００２４】
添付図面を参照しながら下記の詳細な説明を読むことで、本発明の他の特徴及び利点を理解することができるであろう。
【図面の簡単な説明】
【００２５】
【図１】本発明に係る音叉共振器を備えた発振器の概略平面図である。この音叉共振器は、平面への射影において、接続要素に対して対称に構成する２つの可動部を有し、この接続要素に、各可動部が、具体的には可撓性要素によって形成された、弾性接続によって接続され、この接続要素のまわりで、各可動部が仮想軸を中心として振動し、接続要素は、次に、計時器用ムーブメントの構造体と一体化された支持体に弾性接続によって接続される。この実施形態では、可撓性要素は、別の高さレベルに位置する弾性細長材であり、この可撓性要素の方向どうしは、共振器の中立の安静位置において、対応する仮想軸にて交差する。２つの仮想軸は、接続要素上のメイン中心と整列されている。この構成は、両方の仮想軸及びメイン中心を包含する横軸平面に対して、及び２つの可動部を分離しメイン中心を包含し横軸平面に直交し横軸平面とメイン中心にて交差する縦軸平面に対して、完全に対称である。
【図２】図１の発振器の概略斜視図である。
【図３】同じ発振器の図１の平面ＡＡにおける概略部分的断面図である。
【図４】可撓性要素によって接続要素に接続している共振器の可動部についての概略部分平面図である。
【図５】図４の共振器の部分図であって、接続要素は、単一の弾性接続によって構造体と一体化された固定支持体に接続されている。
【図６】図４の共振器の部分図であって、図１及び２の実施形態におけるように、接続要素は、メイン中心に集束する方向を有する弾性細長材を備えるような弾性接続によって構造体と一体化された固定支持体に接続される。
【図７】図１の発振器の変種であって、２つの可動部どうしは、縦軸方向に関してオフセットされている。
【図８】別の変種であって、一方の可動部は、図１〜７の可動部のように端部慣性ブロックを備える弧の形をしており、他方の可動部は、ばねのような単一の弾性接続によって懸架される重量体である。
【図９】図１の発振器の変種であって、２つの可動部は、異なる寸法の端部慣性ブロックを備える弧状のタイプであり、可撓性要素は、異なる剛性を有する。
【図１０】図４の共振器の変種の部分図であって、第２の可動部が、第１の可動部と直列に懸架されている。
【図１１】接続要素と、構造体に固定される支持体との間の接続の部分図であって、細長材がメイン中心に集まり、支持体が接続要素の外側にある。
【図１２】接続要素と、構造体に固定される支持体との間の接続の部分図であって、細長材がメイン中心に集まり、支持体が接続要素の内側にある。
【図１３】接続要素と、構造体に固定される支持体との間の接続の部分図であって、ばねや単一の細長材のような単一の弾性接続を備え、支持体が接続要素の外側にある。
【図１４】接続要素と、構造体に固定される支持体との間の接続の部分図であって、ばねや単一の細長材のような単一の弾性接続を備え、支持体が接続要素の内側にある。
【図１５】レバーエスケープ機構との図１の２つの可動部を有する発振器の連係を示す平面図であって、可動部の１つの弧は、溝を有し、パレット石とは反対側のパレットレバーの一端は、運動が制限されており、パレット石は、従来の手法で、エスケープ車と連係している。
【図１６】図１のタイプの２つの可動部を有する発振器の平面図であって、接続要素は、バランスばねによって構造体に接続され、構造体は、堤面を有する。
【図１７】図１のタイプの２つの可動部を有する発振器の平面図であって、これらの可動部の安静状態における輪郭は、実質的に環状であり、可動部は、堤メンバーを形成する構造体の環状ハウジング内を運動する。
【図１８】図１７の発振器と同じ原理に従う横長な種類の発振器の平面図である。
【図１９】２つの可動部を有する発振器の平面図であって、各可動部は、交差する細長材によって接続要素に接続している環状バランスによって形成され、これらの２つの環状バランスは、別個の平行な平面に位置し、平行な仮想軸を中心として回転する。
【図２０】上側細長材と一体的なピン用の堤メンバーとしてはたらく穴が設けられたアームを有する可動部の部分図である。
【図２１】可動部の端の点の移動距離を制限する１つの壁を有する構造体内の発振器の部分図である。
【図２２】当該発振器を１つ有する機構を備えたムーブメントを有する計時器のブロック図である。
【発明を実施するための形態】
【００２６】
本発明についての記載において、「重心」について言及する。これは、「慣性中心」を意味するように理解することもできる。
【００２７】
本発明は、少なくとも２つの振動する可動部１１、１２を有する音叉によって形成される少なくとも１つの共振器１００を備えたタイムベースを有する計時器用発振器２００に関する。
【００２８】
これらの可動部１１、１２はそれぞれ、可撓性要素３１、４１又は可撓性要素３２、４２によって、発振器２００内に備えられる接続要素２に固定され、これらの幾何学的構成によって、接続要素２に対して所定の位置にある仮想回転軸Ｏ１、Ｏ２が決まる。
【００２９】
可動部１１、１２の重心は、安静位置において、対応する仮想回転軸Ｏ１、Ｏ２上にあり、この可動部１１、１２は、対応する仮想回転軸Ｏ１、Ｏ２を中心に振動する。
【００３０】
本発明によると、２つの可動部１１、１２の少なくとも一方において、可撓性要素３１、４１又は可撓性要素３２、４２は、２つの平行な平面において互いから離れて交差する弾性細長材によって形成されており、これらの可撓性要素の方向は、前記平行な平面の１つ上への射影において、対応する可動部１１、１２の仮想回転軸Ｏ１、Ｏ２上で交差するものである。これらの交差する細長材によって、重量体が回転することが可能になり、Ｘ、Ｙ、Ｚの３つの方向における重量体の移動を十分に防ぎ、また、小さな衝撃に対する耐久性が良好である。
【００３１】
図１、２、７、９、１５、１６、１７及び１８に示す特定の好ましい変種において、少なくとも１つの共振器１００は、当該可動部１１、１２を２つ有し、それらの重心は、仮想回転軸Ｏ１、Ｏ２上にあり、これらは、接続要素２のメイン中心Ｏと整列している。
【００３２】
このような共振器の設計によって、２つの可動部１１、１２のそれぞれの振動を平均化することが可能になる。すなわち、一方の可動部は、他方の可動部が平均よりも遅く振動する場合、平均よりも速く振動し、２つの重心は、同じ方向Ｘに非常に小さな値の分動くが、これらどうしは異なるように動き、重心とのずれを補償する。
【００３３】
本発明に係る音叉を使用することによって、１日当たり数秒の非常に小さい値までタイミングのずれを調整することができる。なぜなら、接続方向Ｘと垂直に重心が動いてもクロノメトリーに影響を与えないからである。
【００３４】
なお、音叉が対称である場合は、特定の場合にすぎず、本発明は、非対称の音叉でも機能する。
【００３５】
当該発振器２００が固定されるムーブメントのプレートに対して行われる運動は、仮想的にはゼロである。支持体上において損失がないことによって、Ｑ（quality factor）が高いことが確実になる。ばね仕掛けバランスのＱよりもＱがはるかに高くなる。
【００３６】
特定の実施形態において、図１、２、７、１５、１６、１７及び１９に示すように、２つの可動部１１、１２は、交差する弾性細長材の平面と平行な平面上への射影において、接続要素２のメイン中心Ｏを通り抜ける対称軸に対して対称である。
【００３７】
特定の場合には、これらの２つの可動部１１、１２は、メイン中心Ｏに対して対称である。
【００３８】
さらに特定の場合には、これらの２つの可動部１１、１２は、同一である。
【００３９】
本発明に特有の有利な形態においては、接続要素２は、弾性力によって、２つの可動部１１、１２の運動どうしを連結する。好ましくは、可撓性要素３１、４１、３２、４２を接続要素２に取り付ける対称な構成によって、接続要素２は、メイン中心Ｏに対する各部品の対称な運動が確実になるように、２つの可動部１１、１２どうしを連結するように構成する。
【００４０】
好ましい実施形態の１つにおいて、図１、２、５、６、１１〜１４に示すように（これらに制限されない）、接続要素２は、固定用穴７１及び７２を介して、計時器用ムーブメント３００の構造体に固定されるように構成する支持体５に、少なくとも１つの弾性接続６０によって懸架される。好ましくは、この弾性接続６０は、交差する細長材の平面と平行な平面ＸＹにおける自由度、又はこの平面内において回転する自由度のいずれかの、いくつかの自由度を有する。
【００４１】
変種の１つにおいて、図１、２、６、１１及び１２に示すように、この弾性接続６０は、弾性細長材６１、６２で形成され、これらの弾性細長材６１、６２の方向どうしは、接続要素２のメイン中心Ｏに向かって集束するものである。
【００４２】
別の変種において、図５、１３及び１４に示すように、弾性接続６０は、・支持体５に固定されるように構成する単一の細長材、ばねなどによって達成される。
【００４３】
本発明の好ましい実施形態の１つにおいて、図１、２、４〜１０、１５〜１８、２１に示すように、・可動部１１、１２の少なくとも一方は、対応する仮想回転軸Ｏ１、Ｏ２を中心とする実質的に環状の弧１１０、１２０を有する。この弧１１０、１２０はそれぞれ、その両端において、慣性ブロック１１１、１１２、慣性ブロック１２１、１２２を有する。可撓性要素３１、４１、可撓性要素３２、４２はそれぞれ、対応する弧１１０、１２０と連係する。
【００４４】
なお、共振器の励起は、弧又は慣性ブロックのいずれかにて達成することができ、後者の慣性ブロックの場合が達成するのに最も都合がいい。
【００４５】
特定の実施形態において（これに制限されない）、可撓性要素３１、４１、３２、４２を形成する弾性細長材は、対応する弧１１０、１２０よりも剛性が小さい。これらの弧１１０、１２０は、次に、対応する慣性ブロック１１１、１１２、１２１、１２２よりも剛性が小さい。これらの慣性ブロック１１１、１１２、１２１、１２２は、好ましくは、剛性が無限大である。別の変種において、弧１１０、１２０及び慣性ブロック１１１、１１２、１２１、１２２は、剛性が同じであり、弾性細長材３１、４１、３２、４２だけが弧や慣性ブロックよりも剛性が小さい。
【００４６】
別の好ましい実施形態の１つにおいて、図１９及び２０に示すように、可動部１１、１２は、環状バランスの形に形成されている。
【００４７】
好ましくは、可撓性要素３１、４１、３２、４２を形成する弾性細長材どうしは、対応する仮想回転軸Ｏ１、Ｏ２を通り抜け接続要素２上のメイン中心Ｏを通る軸に対して、射影面において、対称な対を形成する。
【００４８】
好ましい実施形態において、共振器１００が２つの可動部１１、１２を有する場合、仮想回転軸Ｏ１、Ｏ２及びメイン中心Ｏは、整列している。
【００４９】
好ましい実施形態の１つにおいて、すべての図に示すように、少なくとも１つの・共振器１００は、接続要素２と、少なくとも２つの振動する可動部１１、１２と、及び前記可動部を接続要素２に接続する弾性細長材３１、４１、３２、４２とを有する一体的なアセンブリーである。
【００５０】
より具体的には、少なくとも１つの・共振器１００は、接続要素２と、及び複数の振動する可動部１１、１２とを有する一体的なアセンブリーであり、可動部１１、１２のそれぞれは、・可動部を接続要素２に接続する弾性細長材３１、４１、３２、４２を有する。
【００５１】
さらに具体的には、発振器２００は、接続要素２及び複数の・共振器１００を有する一体的なアセンブリーである。
【００５２】
より詳細には、発振器２００は、計時器用ムーブメント３００の構造体に固定されるように構成する支持体５と、支持体５を接続要素２に接続する弾性接続６０とをさらに有する一体的なアセンブリーである。
【００５３】
好ましくは、当該一体的なアセンブリーは、ケイ素及び／又は酸化ケイ素、又はＤＬＣ、又は石英、又は「ＭＥＭＳ」又は「ＬＩＧＡ」技術で作られる任意の微小な材料で作られる。
【００５４】
このような技術を使用することによって、同じ一体的な部品の刻み目のある２つの反対側の領域のような調整手段を設け、これによって、それらの相対的位置を変えることを容易にし、そして、可動部の重心の位置を変えることを容易にすることができる。調整を行うために、計時器バランスを調整する通常の手段を用いることもできる。例えば、慣性を大きくし周波数を低くする付加的な重量体、及び／又は周波数又は重心の位置を正確に調整する付加的な調整重量体（調整ネジ、中心からずれた慣性ブロック）又は同様の手段である。
【００５５】
発振器の周波数を低くするためには、特に金属重量体によって、慣性を大きくすることができる。この金属重量体は、可動部の慣性ブロックや弧などの上で回転、又はこれらの要素に対して平行移動するようにガイドされる。例えば（これに制限されない）、方向Ｙに延びる金属重量体は、軸Ｘに対して対称な可動部の２つの慣性ブロックに、ガイドされ又はこれに単に固定されることができる。
【００５６】
当該音叉をケイ素部品などで作ることによって、精度を高めることができ、対応する回転軸に対して各可動部の重心の優れた相対的な調整を行うことができる。したがって、可動部１１、１２はそれぞれ、交差する細長材によってガイドされ、これらの細長材は、両面ケイ素ウェハー技術を用いて製造される。また、交差する細長材を分離する空間の寸法は、非常に小さい値を有することができる。これによって、最大限コンパクトにすることを確実にすることができる。例えば、二層間で形成される酸化物層を除去することは、４μｍの遊びに相当し、これは、細長材どうしの間で摩擦がない適正な動作を確実にするのに十分である。
【００５７】
この技術は、非常に薄い細長材の製造を可能にする。これによって、振動周波数を約４０Ｈｚの非常に小さい値まで低くすることができる。
【００５８】
特定の実施形態において、可撓性要素３１、４１、３２、４２を形成する弾性細長材は、熱補償を行う酸化層を有する。
【００５９】
可動部１１、１２の「てこの効果」によって、端部慣性ブロック１１１、１１２、１２１、１２２を十分に大きく運動させることができる。これによって、当該発振器２００又は少なくとも当該発振器１００を、図１５に示すような機械式エスケープ機構又は磁気式、静電気式などのエスケープ機構に関連付けることが可能になる。
【００６０】
好ましい完全に対称な構成において、細長材の交差点としての同じ点又は少なくとも同じ点のすぐ近くにおける慣性ブロックと２つの可動部１１、１２の重心との対称な運動は、システム全体の全体重心の運動、したがって、支持体に対する反作用、を最大限度までに制限する。
【００６１】
特定の実施形態において、発振器２００は止め面８０、９１、９２を有し、これらは、発振器２００が備える各可動部１１、１２の運動を制限する。このことによって、最も大きな衝撃に対する耐久性を有することが確実になる。
【００６２】
また、本発明は、構造体を有する計時器用ムーブメント３００であって、この構造体に発振器２００が、その接続要素２によって直接、又は弾性接続６０によって接続要素２が接続されている支持体５によって、固定されているものに関する。
【００６３】
また、本発明は、当該計時器用ムーブメント３００を少なくとも１つ有する腕時計である計時器４００に関する。
【００６４】
図面は、特定の実施形態の詳細であり、これらに制限されない。
【００６５】
図１〜３は、接続要素２に対して対称に構成する２つの可動部１１、１２を有する音叉共振器１００を備えた発振器を示しており、この接続要素２に、各可動部が、具体的には可撓性要素３１、４１、３２、４３によって形成される、弾性接続によって接続され、接続要素２のまわりにおいて、各可動部が仮想軸のまわりに振動する。次に、接続要素２は、別の弾性接続によって、計時器用ムーブメント３００の構造体と一体化された支持体５に接続される。この実施形態において、可撓性要素３１、４１、３２及び４３は、別の高さレベルにて対で配置された弾性細長材であり、弾性細長材の方向どうしは、共振器の中立の安静位置において、対応する仮想軸Ｏ１、Ｏ２で交差する。２つの仮想軸Ｏ１、Ｏ２は、接続要素２上のメイン中心Ｏと整列している。その構成は、方向Ｘ、仮想軸Ｏ１、Ｏ２及びメイン中心Ｏを包含する横軸平面と、及びこの平面とメイン中心Ｏにて直交しており方向Ｙを包含している縦軸平面とに対して、完全に対称である。
【００６６】
図４は、共振器１００の可動部１１であって、可撓性要素３１、４１による接続要素２への接続が同じタイプであるものを示している。図５は、図４の共振器１００であって、接続要素２が、単一の接続６０によって、構造体と一体化された固定支持体５に接続されているものを示している。図６は、図４の共振器１００であって、接続要素２が、２つの弾性細長材６１、６２との弾性接続によって、構造体と一体化された固定支持体５に接続され、図１〜３の実施形態におけるように、これら２つの弾性細長材６１、６２の方向どうしが、メイン中心Ｏに向かって集束するようなものを示している。
【００６７】
図７は、図１の発振器の変種であって、２つの可動部１１、１２が縦軸方向Ｙに関してオフセットされており、それらがそれぞれ、互いに平行な軸Ｘ１、Ｘ２を中心として振動するものを示している。これらの方向どうしは、タイミングエラーが非常に小さいことを確実にするために、平行であることが必要である。
【００６８】
図８は、別の変種であって、一方の可動部１１が、図１〜７の可動部１１、１２のように、端部慣性ブロック１１１、１１２を備える弧１１０の形態であり、他方の可動部１２が、ばね、単一の細長材などのような単一の弾性接続１７０によって懸架される重量体１７であるものを示している。
【００６９】
また、他の変種も可能である。例えば、４つの首部などとのＲＣＣリモートセンターコンプライアンスタイプの接続によって可動部が懸架されているものである。
【００７０】
図９は、図１の発振器の変種であって、前記２つの可動部１１、１２は、弧１１０、１２０が異なる寸法の端部慣性ブロック１１１、１１２、１２１、１２２を備えるタイプであり、周波数が同じになるように、可撓性要素３１、４１と可撓性要素３２、４２の剛性が異なるようになっているものを示している。このようにして、各側で振幅が異なっていても、重心の運動の対称性を維持することができる。
【００７１】
図１０は、図４の共振器の変種であって、弧１１３における第２の可動部１３が、第１の可動部１１の第１の弧１１０に当接する同様な交差する細長材３１０、４１０によって第１の可動部１１に直列に懸架されているものを示している。
【００７２】
図１１〜１４は、接続要素２と、ムーブメント３００の構造体に固定された支持体５との間の異なる種類の接続を示しており、図１１及び１２では、細長材６１、６２がメイン中心Ｏの方に集まり、図１３及び１４では、ばねや単一の細長材のような単一の弾性接続６０を備え、図１１及び１３では、支持体５が接続要素２の外側にあり、図１２及び１４では、支持体５が接続要素２に内側にある。
【００７３】
この接続要素２と支持体５の間の弾性接続によって、良好な衝撃吸収が確実になる。
【００７４】
図１５は、レバーエスケープ機構７０を備えた図１のタイプの２つの可動部１１、１２との発振器の連係を示している。これにおいて、第１の可動部１１の弧１１０は、溝７を有し、パレットレバー７０の一方の端７２は、フォーク７３のパレット石７４、７５の反対側で、軸７１に沿って回転するように運動が制限されている。これらのパレット石７４、７５は、従来の手法で、エスケープ車７６と連係する。
【００７５】
図１６は、図１のタイプの２つの可動部１１、１２を備える発振器を示している。これにおいて、接続要素２は、バランスばね９によって構造体９０に接続されており、構造体９０は、堤面９１、９２を有し、これらの堤面９１、９２は、ばね９の運動を制限するように、及び／又は可動部１１、１２の運動を制限するように、構成することができる。
【００７６】
図１７は、図１のタイプの２つの可動部１１、１２を備える発振器を示している。これらの可動部１１、１２の輪郭１１００、１２００は、安静状態において、実質的に環状であり、堤メンバーとしてはたらく構造体８の環状ハウジング８０内で動く。図１８は、同じ原理に従う横長な種類を示している。可動部１１、１２及びハウジング８０の安静位置どうしの間の距離は、慣性ブロックの振動範囲に適応する最小限度の大きさまで小さくなり、これは、数十ｍｍのオーダーである。
【００７７】
図１９は、２つの可動部１１、１２を備える発振器であって、これらの可動部１１、１２がそれぞれ交差する細長材によって接続要素２に接続している環状バランスによって形成され、これらの２つのバランスが、別個の平行な平面内に位置し、平行な仮想回転軸Ｏ１、Ｏ２を中心として回転するものを示している。
【００７８】
図２０は、穴１１９が設けられたアーム１１８を有する可動部１１を備える発振器を示している。この穴１１９は、上側細長材３１と一体的なピン３１０用の堤メンバーとしてはたらく。
【００７９】
図２１は、任意の形の可動部１１の端の点の移動距離を制限する壁８０を有する構造体８内の発振器を示している。
【００８０】
各図は、非常に概略的であり、交差する細長材がそれらを支える接続要素に傾斜して埋め込まれているような一般的な場合のものを示している。接続要素に細長材が埋め込まれている箇所において各細長材の端部に直交する接続要素の面に細長材を埋め込む構成は、好ましい。
【００８１】
本発明によって、設置が容易で、信頼性が高く、生産再現性が非常に高く、Ｑが高く、エネルギー消費が少なく、運動の自律性が高レベルであるような一体的な機構を得ることが可能になる。
【符号の説明】
【００８２】
２  接続要素
５  支持体
１１、１２  可動部
６０  弾性接続
１００  共振器
２００  発振器
３００  ムーブメント
４００  計時器
１１０、１２０  弧
１１０、１２０  弧
１１１、１１２、１２１、１２２  慣性ブロック
３１、４１、３２、４２  可撓性要素
６１、６２  弾性細長材
８０、９１、９２  止め面
Ｏ  メイン中心
Ｏ１、Ｏ２  仮想回転軸
【図１】
2016118548.tif 000003
【図２】
2016118548.tif 000004
【図３】
2016118548.tif 000005
【図４】
2016118548.tif 000006
【図５】
2016118548.tif 000007
【図６】
2016118548.tif 000008
【図７】
2016118548.tif 000009
【図８】
2016118548.tif 000010
【図９】
2016118548.tif 000011
【図１０】
2016118548.tif 000012
【図１１】
2016118548.tif 000013
【図１２】
2016118548.tif 000014
【図１３】
2016118548.tif 000015
【図１４】
2016118548.tif 000016
【図１５】
2016118548.tif 000017
【図１６】
2016118548.tif 000018
【図１７】
2016118548.tif 000019
【図１８】
2016118548.tif 000020
【図１９】
2016118548.tif 000021
【図２０】
2016118548.tif 000022
【図２１】
2016118548.tif 000023
【図２２】
2016118548.tif 000024